(57)【要約】【課題】例えば集合住宅の戸境壁などとして使用される耐火遮音間仕切壁に係り、ＡＬＣパネルの厚さを必ずしも厚くしなくても充分な強度と耐火および遮音性能を確保することができるようにする。【解決手段】形成すべき間仕切壁Ｗの横方向に沿って複数枚のＡＬＣパネル１を、間仕切壁Ｗの厚さ方向に交互にずらしながら千鳥状に配置固定し、その千鳥状に配置することによって形成される１つおきに隣接するパネル間の凹部Ｃ内に繊維質材料２を充填すると共に、それらパネル１および繊維質材料２の外側面にボード材３を設けてなる耐火遮音間仕切壁において、上記各ＡＬＣパネル１を固定し且つ補強するためのパネル固定材を設けたことを特徴とする。上記パネル固定材としては、例えば前記各ＡＬＣパネルと前記ボード材との間に柱状体４１を介在させる、あるいは隣り合うＡＬＣパネル１・１間に、その各パネル１の端部１ａがそれぞれ嵌合する略コ字形の凹部４２ａを有する型材４２を設ける。【選択図】図１
2005105764.tif 000002
【特許請求の範囲】
【請求項１】
形成すべき間仕切壁の横方向に沿って複数枚のＡＬＣパネルを、間仕切壁の厚さ方向に交互にずらしながら千鳥状に配置固定し、その千鳥状に配置することによって形成される１つおきに隣接するパネル間の凹部内に繊維質材料を充填すると共に、それらパネルおよび繊維質材料の外側面にボード材を設けてなる耐火遮音間仕切壁において、上記各ＡＬＣパネルを固定し且つ補強するためのパネル固定材を設けたことを特徴とする耐火遮音間仕切壁。
【請求項２】
前記のパネル固定材として、前記各ＡＬＣパネルと前記ボード材との間に柱状体を介在させてなる請求項１記載の耐火遮音間仕切壁。
【請求項３】
前記のパネル固定材として、隣り合うＡＬＣパネル間に、その各パネルの端部がそれぞれ嵌合する略コ字形の凹部を有する型材を設けたことを特徴とする請求項１記載の耐火遮音間仕切壁。
【請求項４】
前記各ＡＬＣパネルは、縦長のものを横方向に千鳥配置してなる請求項１〜３のいずれかに記載の耐火遮音間仕切壁。
【請求項５】
前記各ＡＬＣパネルは、横長のものを上下方向に複数個並べ、それを横方向に千鳥配置してなる請求項１〜３のいずれかに記載の耐火遮音間仕切壁。
【請求項６】
前記の千鳥状に配置したＡＬＣパネルの互いに隣接する端部が間仕切壁の厚さ方向において互いに重なり合うようにしてなる請求項１〜５のいずれかに記載の耐火遮音間仕切壁。
【請求項７】
前記ＡＬＣパネルの表面には、凹凸加工を施してなる請求項１〜６のいずれかに記載の耐火遮音間仕切壁。
【発明の詳細な説明】
【技術分野】
【０００１】
本発明は、例えば集合住宅の戸境壁などとして使用される間仕切壁、特に高い遮音性能および耐火性能を有する耐火遮音間仕切壁に関するものである。
【背景技術】
【０００２】
従来のＡＬＣパネルを使用した耐火遮音間仕切壁としては、ＡＬＣパネルを梁、スラブ間に両端固定し、このＡＬＣパネルに対しモルタル塗りなどの各種仕上げを施した仕様があるが、そのほとんどが遮音等級Ｄ−４０のレベルであり、特に高い遮音性能を要求された場合に対応できていない。
【０００３】
また下記特許文献１のようにＡＬＣパネルを梁、スラブ間に両端固定し、繊維質材料および複数枚のボードを重ね合わせ、遮音等級Ｄ−５５を実現している仕様のものはあるが、ＡＬＣパネルの固定方法が両端支持であるため、強度上の安全性または遮音等級Ｄ−４５以上を実現するには、厚さ７５ｍｍ以上の厚型ＡＬＣパネルを使用する必要があった。そのため間仕切壁の総厚が１５０ｍｍ以上と大きく、空間の有効利用ができない他、材料コストが増大する等の不具合がある。
【０００４】
また間仕切壁の総厚を薄くするために例えば厚さ７５ｍｍ未満の薄型ＡＬＣパネルを使用した場合、パネル強度が小さいため、両端支持のみでは充分な強度が確保できないほか、剛性が低いために高い遮音性能を実現することができない等の問題があった。
【０００５】
【特許文献１】特開平８−９３０９４号公報
【発明の開示】
【発明が解決しようとする課題】
【０００６】
本発明は上記従来の問題点に鑑みて提案したもので、ＡＬＣパネルの厚さを必ずしも厚くしなくても充分な強度と耐火および遮音性能を確保することのできる耐火遮音間仕切壁を提供することを目的とする。
【課題を解決するための手段】
【０００７】
上記の目的を達成するために本発明による耐火遮音間仕切壁は、以下の構成としたものである。即ち、形成すべき間仕切壁の横方向に沿って複数個のＡＬＣパネルを千鳥状に配置し、その千鳥状に配置することによって形成される１つおきに隣接するパネル間の凹部内に繊維質材料を充填すると共に、それらの両側面にボード材を設けてなる耐火遮音間仕切壁において、上記各ＡＬＣパネルを固定し且つ補強するためのパネル固定材を設けたことを特徴とする。
【発明の効果】
【０００８】
上記のように各ＡＬＣパネルを固定し且つ補強するためのパネル固定材を設けたことによって、各パネルが補強され、例えば厚さ７５ｍｍ未満の薄いＡＬＣパネルでも充分な強度を確保することが可能となる。その結果、間仕切壁の総厚を極力薄くした上で高い耐火性と遮音性を確保でき、かつ空間の有効利用が図れるほか、材料コストを低減できる等の効果が得られる。
【発明を実施するための最良の形態】
【０００９】
以下、図に示す実施形態に基づいて本発明を具体的に説明する。図１は本発明による耐火遮音間仕切壁の一実施形態を示す斜視図、図２はその一部の横断平面図である。
【００１０】
本実施形態は、形成すべき間仕切壁Ｗの横方向に沿って、床スラブＳ１の上面と、図に省略した上階スラブの下面とに、それぞれランナ（不図示）を配し、それに沿って複数枚のＡＬＣパネル１を、間仕切壁Ｗの厚さ方向に交互にずらしながら千鳥状に配置した構成であり、上記各パネル１は図に省略した固定具等で上記ランナもしくはスラブ面等に固定されている。
【００１１】
また上記各パネル１を千鳥状に配置することによって形成される凹部Ｃ内に繊維質材料２を充填すると共に、それらパネル１および繊維質材料２の外側面にボード材３を設けるようにしたもので、本実施形態においては上記凹部Ｃ内の図２で左右方向略中央部に、ＡＬＣパネルを固定し且つ補強するためのパネル固定材としての柱状体４１を配置し、その柱状体４１の両側の凹部Ｃ内に繊維質材料２を充填した構成である。
【００１２】
上記の繊維質材料２およびボード材３としては不燃性もしくは難燃性のものを用いるとよく、具体的には例えば繊維質材料２としてはロックウール、セラミックファイバー、グラスウールなどを用いることができ、またボード材３としては石膏ボード等を用いることができる。
【００１３】
また上記の柱状体４１は、本実施形態においては図３（ａ）に示すように両端部に内向きの折曲部を有する横断面略コ字形の金属製のものを用いたが、同図（ｂ）に示すように上記のような内向きの折曲部を有しない断面コ字形でも、あるいは同図（ｃ）のような角管状のもの等その他適宜である。また柱状体４１の材質も不燃性もしくは難燃性のものであれば金属に限らず、各種材質のものが適用可能である。
【００１４】
さらに上記のような断面コ字形もしくは角柱状のものを含めて内部に中空部を有する柱状体にあっては、図４に示すように上記の中空部内にも繊維質材料２を充填してもよい。また上記実施形態は、図２に示すように横方向（図で左右方向）に隣り合うＡＬＣパネル１の端部１ａが、間仕切壁Ｗの厚さ方向において互いに重なり合うように構成したが、図５に示すのように互いに重ならないように構成してもよい。
【００１５】
また上記のＡＬＣパネル１とボード材３および柱状体４１とは、互いに釘やネジまたはボルトもしくは接着剤等の固着具で互いに一体的に固着するとよく、本実施形態においては、ボード材３をＡＬＣパネル１および柱状体４１にそれぞれ釘等の固着具５で固定すると共に、その柱状体４１はＡＬＣパネル１に上記と同様の固着具で固定した構成であるが図には省略した。
【００１６】
上記のように各ＡＬＣパネル１を固定し且つ補強するための柱状体４１等のパネル固定材を設けたことによって、各パネルが補強され、例えば厚さ７５ｍｍ未満の薄いＡＬＣパネルでも充分な強度を確保することが可能となる。その結果、間仕切壁Ｗの総厚を極力薄くした上で高い耐火性と遮音性を確保でき、かつ空間の有効利用が図れるほか、材料コストを低減することができる。
【００１７】
また上記実施形態のように横方向に隣り合うＡＬＣパネル１の端部１ａが、間仕切壁Ｗの厚さ方向において互いに重なり合うように構成すると、間仕切壁Ｗの強度や耐火および遮音性能を更に向上させることができる。この場合、上記の重なり代は、好ましくは２０ｍｍ以上、１００ｍｍ以下の範囲内とするのが望ましい。これは重なり代が２０ｍｍ未満であると、耐火および遮音性能が必ずしも充分に発揮できない場合があり、また１００ｍｍを超えてもパネルの使用量が増大するわりに上記両性能ともさほど向上しないことが実験により確認されたからである。
【００１８】
なお上記実施形態は、パネル固定材としての柱状体４１を、各パネル１の幅方向略中央部に１つずつ設けたが、その配置位置や配置個数は適宜であり、例えば横方向に隣接するＡＬＣパネル１の端部に設けるようにしてもよい。
【００１９】
図６および図７はその一例を示すもので、パネル固定材として、隣り合うＡＬＣパネル１・１間に、その各パネル１の端部がそれぞれ嵌合する略コ字形の一対の凹部４２ａを有する型材４２（図８（ａ）参照）を設けた構成である。その型材４２と各パネル１とは、必要に応じて釘やネジまたはボルトもしくは接着剤等の固着具で互いに一体的に固着するとよい。他の構成は前記図１および図２の場合と同様であり、同一の機能を有する部材には同一の符号を付して重複する説明は省略する。
【００２０】
上記のように隣り合うＡＬＣパネル１・１間に型材４２を設け、その型材４２の一対の凹部４２ａにそれぞれ隣接するパネル１の端部を嵌合保持させれば、各パネルが相互に強固にずれ止め補強され、前記実施形態と同様に例えば厚さ７５ｍｍ未満の薄いＡＬＣパネルでも充分な強度を確保することが可能となる。その結果、間仕切壁Ｗの総厚を極力薄くした上で高い耐火性と遮音性を確保でき、かつ空間の有効利用が図れるほか、材料コストを低減することができる。
【００２１】
なお上記図６および図７の実施形態は、図８（ａ）に示す型材４２を用いることによって横方向に隣り合うＡＬＣパネル１の端部１ａが、間仕切壁Ｗの厚さ方向において互いに重なり合うように構成したが、図８（ｂ）に示すような型材４２を用いることによって図９に示すように横方向に隣り合うＡＬＣパネル１が互いに重なり合うことなく配置することもできる。その場合、隣り合うＡＬＣパネル１・１間は型材４２で閉塞されているので、隣り合うＡＬＣパネル１・１間から熱や音がもれることはない。
【００２２】
さらに上記各実施形態は、長方形状のＡＬＣパネルを、いわゆる縦使い、即ち長手方向を上下方向に向けて使用したが、いわゆる横使い、即ち長手方向を横方向（水平方向）に向けて使用してもよい。
【００２３】
図１０〜図１３はその一例を示すもので、横長のＡＬＣパネル１を上下方向に複数個並べて配置したものを、前記と同様の要領で横方向に千鳥状に配置した構成である。なお図１０および図１１は前記図１および図２の実施形態と同様に各パネル１を千鳥状に配置することによって形成される凹部Ｃ内に、パネル固定材としての柱状体４１を配置した例、図１２および図１３は前記図６および図７の実施形態と同様に隣り合うＡＬＣパネル１・１間に、その各パネル１の端部がそれぞれ嵌合する略コ字形の一対の凹部４２ａを有する型材４２をパネル固定材として設けた例を示す。他の構成は前記各実施形態と同様である。
【００２４】
なお上記図１０〜図１３の実施形態においては横方向に隣り合うＡＬＣパネル１は間仕切壁Ｗの厚さ方向において、互いに重なり合うように構成したが、重なり合わないように構成してもよいことは前記実施形態と同様であり、また互いに重なり合うようにする場合の重なり代は前記と同様に、２０ｍｍ以上、１００ｍｍ以下の範囲内とするのが望ましい。
【００２５】
さらに上記各実施形態は、ＡＬＣパネル１として表面が平滑なものを用いたが、その表面（片面または両面）に凹凸を有するものを用いてもよい。図１４はその一例を示すもので、ＡＬＣパネル１の表面にタイル等の目地を模した凹溝１ｇを縦横に多数形成することによって、その凹溝１ｇで囲まれた領域にタイル等を模した突出部を形成したものである。図１５は上記のＡＬＣパネル１を用いた耐火遮音間仕切壁の一例を示すもので、上記のような表面に凹凸を有するＡＬＣパネルを用いると、それらの凹凸による吸音作用等によって遮音性能をさらに向上させることができる。
【産業上の利用可能性】
【００２６】
以上詳細に説明したように、本発明による耐火遮音間仕切壁Ｗはパネル固定材を設けたことによってＡＬＣパネルが補強され、間仕切壁全体の強度を増大させることができる。また従来のものよりも薄いパネルを用いても充分な強度を確保することが可能となり、間仕切壁の総厚を小さくして、空間の有効利用を図ることができると共に、材料コスト等を低減することが可能となる。また隣合うパネルの端部が重なり合うようにすれば、耐火および遮音性能が向上し、次第に要望が増しつつある高い耐火性、遮音性を有する間仕切壁を実現することができるものである。
【図面の簡単な説明】
【００２７】
【図１】本発明による耐火遮音間仕切壁の一実施形態を示す斜視図。
【図２】上記の耐火遮音間仕切壁の横断平面図。
【図３】（ａ）〜（ｃ）はパネル固定材としての柱状体の一例を示す斜視図。
【図４】上記の耐火遮音間仕切壁の変更例の横断平面図。
【図５】上記の耐火遮音間仕切壁の他の変更例の横断面図。
【図６】本発明による耐火遮音間仕切壁の他の実施形態を示す斜視図。
【図７】上記の耐火遮音間仕切壁の横断平面図。
【図８】（ａ）および（ｂ）はパネル固定材としての型材の一例を示す斜視図。
【図９】耐火遮音間仕切壁の変更例の横断面図。
【図１０】本発明による耐火遮音間仕切壁の更に他の実施形態を示す斜視図。
【図１１】上記の耐火遮音間仕切壁の横断平面図。
【図１２】本発明による耐火遮音間仕切壁の更に他の実施形態を示す斜視図。
【図１３】上記の耐火遮音間仕切壁の横断平面図。
【図１４】表面に凹凸を有するパネルの一例を示す斜視図。
【図１５】上記パネルを用いた耐火遮音間仕切壁の一例を示す横断面図。
【符号の説明】
【００２８】
１  ＡＬＣパネル
２  繊維質材料
３  ボード材
４１  柱状体（パネル固定材）
４２  型枠（パネル固定材）
５  固着具
【図１】
2005105764.tif 000003
【図２】
2005105764.tif 000004
【図３】
2005105764.tif 000005
【図４】
2005105764.tif 000006
【図５】
2005105764.tif 000007
【図６】
2005105764.tif 000008
【図７】
2005105764.tif 000009
【図８】
2005105764.tif 000010
【図９】
2005105764.tif 000011
【図１０】
2005105764.tif 000012
【図１１】
2005105764.tif 000013
【図１２】
2005105764.tif 000014
【図１３】
2005105764.tif 000015
【図１４】
2005105764.tif 000016
【図１５】
2005105764.tif 000017